(57)【要約】【課題】簡単な構造で複数の光源ユニットを有する照明器具全体から均一に光を出射させる。【解決手段】照明器具１は、器具本体２と、器具本体２に取り付けられ、光を出射する光源ユニット３を備えている。光源ユニット３は、複数の発光素子１２が直線状に配列した発光モジュール１０と、発光モジュール１０を覆う光透過性のカバー３Ａと、カバー３Ａの両端に取り付けられたエンドカバー３Ｂと、を備え、発光素子１２のうち配列方向の少なくとも一方の端部に配置された発光素子１２Ａが発光する光の配光が、他の発光素子１２が発光する光の配光よりも広角である。【選択図】図４
2015185216.tif 000002
【特許請求の範囲】
【請求項１】
器具本体と、前記器具本体に取り付けられ、光を出射する光源ユニットとを備えた照明器具であって、
前記光源ユニットは、
複数の発光素子が直線状に配列した発光モジュールと、
前記発光モジュールを覆う光透過性のカバーと、
前記カバーの両端に取り付けられたエンドカバーと、
を備え、
前記発光素子のうち配列方向の少なくとも一方の端部に配置された前記発光素子が発光する光の配光が、他の前記発光素子が発光する光の配光よりも広角である
ことを特徴とする照明器具。
【請求項２】
前記光源ユニットは、前記器具本体に複数取り付けられたものであり、
複数の前記光源ユニットには、前記発光素子の配列方向に並び前記エンドカバー同士が互いに対向して前記器具本体に取り付けられたものであり、
前記光源ユニットの前記エンドカバー側の発光素子上には、前記発光素子から出射される光の配光角度を広げる広角レンズが取り付けられていることを特徴とする請求項１に記載の照明器具。
【請求項３】
前記広角レンズは、前記複数の発光素子のうち、最も端部に位置する前記発光素子のみに取り付けられていることを特徴とする請求項１又は２に記載の照明器具。
【請求項４】
前記広角レンズは、前記複数の発光素子のうち、最も端部に位置する前記発光素子から所定の個数の前記発光素子に取り付けられていることを特徴とする請求項１又は２に記載の照明器具。
【請求項５】
前記光源ユニットは、両端に前記エンドカバーが取り付けられたものであり、
前記広角レンズは、前記エンドカバーに前記発光素子から出射した光が照射される配光特性を有するものであることを特徴とする請求項１〜４のいずれか１項に記載の照明器具。
【請求項６】
前記器具本体は、前記各光源ユニット毎に複数設けられていることを特徴とする請求項１〜５のいずれか１項に記載の照明器具。
【発明の詳細な説明】
【技術分野】
【０００１】
本発明は、複数の光源ユニットが並んで配列される照明器具に関するものである。
【背景技術】
【０００２】
従来より、複数の発光素子（ＬＥＤ）が長手方向に配列された光源ユニットを用いた照明器具が提案されている。さらに、この光源ユニットが長手方向に複数配列されて使用される照明器具が提案されている。この照明器具において全体として均一に光を出射することが望ましいが、光源ユニットの端部において隣接する光源ユニット同士のＬＥＤが等間隔で配置されずに離れてしまう。このため、照明器具全体において均一に光を出射することができない。そこで、従来から端部のＬＥＤが異なる配置面に配置された照明器具が提案されている（例えば特許文献１参照）。特許文献１には、複数のＬＥＤが直線状に実装される主配置面と、主配置面の両端側であって主配置面に対し傾斜しており、端部のＬＥＤが実装される副配置面とを有する照明器具が開示されている。
【先行技術文献】
【特許文献】
【０００３】
【特許文献１】特開２０１２−２５６５８５号公報
【発明の概要】
【発明が解決しようとする課題】
【０００４】
しかしながら、特許文献１のように、端部のＬＥＤを端面側に傾けて配置して照明器具を全体的に均一に光らせた場合、ＬＥＤは長い基板に実装されるため、端部のみが別基板となり、効率が悪いとともにコストが掛かってしまう。また、端部のＬＥＤを発光させるために配線部材などが配置される為、端面からＬＥＤが離れてしまい、端面まで均一に光らせることができない。
【０００５】
本発明は、上記のような課題を解決するためになされたものであり、簡単な構造で複数の光源ユニットを有する照明器具全体から均一に光を出射させることができる照明器具を提供することを目的としている。
【課題を解決するための手段】
【０００６】
本発明の照明器具は、器具本体と、器具本体に取り付けられ、光を出射する光源ユニットを備えた照明器具であって、光源ユニットは、複数の発光素子が直線状に配列した発光モジュールと、発光モジュールを覆う光透過性のカバーと、カバーの両端に取り付けられたエンドカバーと、を備え、発光素子のうち配列方向の少なくとも一方の端部に配置された発光素子が発光する光の配光が、他の発光素子が発光する光の配光よりも広角である。
【発明の効果】
【０００７】
本発明の照明器具によれば、端部の発光素子からエンドカバー側まで光を出射することができるため、照明器具全体から光が途切れることなく均一に光を出射することができる。
【図面の簡単な説明】
【０００８】
【図１】本発明の照明器具の実施形態を示す斜視図である。
【図２】図１の照明器具における隣接する光源ユニット同士の連結部位を示す斜視図である。
【図３】図１の照明器具における隣接する光源ユニット同士の連結部位を示す模式図である。
【図４】図１の照明器具におけるエンドカバーの周辺部位を示す斜視図である。
【図５】図１の照明器具における光源ユニットの一例を示す断面図である。
【図６】従来の照明器具の一例を示す断面図である。
【図７】本発明の照明器具の別の実施形態を示す斜視図である。
【発明を実施するための形態】
【０００９】
実施形態．
以下、図面を参照しながら本発明のランプカバー及びこれを用いた照明器具並びに照明器具の実施形態について説明する。なお、以下に説明する実施の形態によって本発明が限定されるものではない。図１及び図２は本発明の実施形態に係る照明器具の斜視図である。図１及び図２の照明器具１は、例えば部屋もしくは通路等の室内の天井に設置され室内の照明を行うライン照明であって、天井等に取り付けられた複数の器具本体２と、複数の器具本体２のそれぞれに取り付けられた複数の光源ユニット３とを備えている。
【００１０】
各器具本体２は、光源ユニット３を駆動するためのインバータ回路等を備えたものであって天井等に固定されている。また、各器具本体２は各光源ユニット３から出射される光を反射する反射板に覆われている。複数の器具本体２は、長手方向（矢印Ｙ方向）に配列されており、各器具本体２にそれぞれ光源ユニット３が着脱可能に取り付けられている。
【００１１】
図２は図１の照明器具における隣接する光源ユニット３同士の連結部位を示す斜視図、図３は図１の照明器具における隣接する光源ユニット３同士の連結部位を示す模式図、図４は図１の照明器具１におけるエンドカバー３Ｂの周辺部位を示す斜視図であり、図１から図４を参照して光源ユニット３について説明する。光源ユニット３は、器具本体２から供給される電力により光を出射するものであって、複数の発光素子１２を備えた発光モジュール１０と、発光モジュール１０が固定されたフレーム２０と、発光モジュール１０を覆う光透過性のカバー３Ａと、カバー３Ａの両端に取り付けられたエンドカバー３Ｂとを有している。
【００１２】
光源ユニット３は、それぞれ長手方向（矢印Ｙ方向）に延びた形状を有している。そして、複数の光源ユニット３は、発光素子１２の配列方向（矢印Ｙ方向）に並んでおり、エンドカバー３Ｂ同士が互いに対向して器具本体２に取り付けられている。具体的には、各光源ユニット３は、プラスチック等の樹脂からなるカバー３Ａ内に発光モジュール１０が収容された構造を有し、両端部にエンドカバー３Ｂが装着されている。そして、隣接する光源ユニット３同士のエンドカバー３Ｂが接触するように配列されている。なお、カバー３Ａは、光透過性を有するとともに光を拡散して出射する機能を備えている。
【００１３】
図５は図１の照明器具１における光源ユニット３の一例を示す断面図である。発光モジュール１０は、基板１１と、基板１１の実装面１１ａ上に実装された複数の発光素子１２と、複数の発光素子１２に電気的に接続されており、外部と接続を行うためのコネクタ１３とを備えたものである。基板１１は、例えば長手方向（矢印Ｙ方向）に延びた矩形形状を有するものであり、基板１１の実装面１１ａ上には長手方向（矢印Ｙ方向）に沿って、複数の発光素子１２が実装されている。発光素子１２は例えばＬＥＤからなっており、基板１１の長手方向（矢印Ｙ方向）に沿って直線的に一列に配列されている。複数の発光素子１２は基板１１に設けられた図示しない配線パターンに接続されることによって、光源回路を形成している。コネクタ１３は、配列されている複数の発光素子１２の端部であって基板１１の長手方向（矢印Ｙ方向）の端部側に設けられている。
【００１４】
なお、この複数の発光モジュール１０は、長手方向（矢印Ｙ方向）に並んで配列されており、隣接する発光モジュール１０同士はコネクタ１３が対向するように位置した状態でフレーム２０上に載置される。また、発光素子１２としては、例えば、４４０ｎｍ〜４８０ｎｍ程度の波長の青色光を発するＬＥＤチップ上に、青色光を黄色光に波長変換する蛍光体を設けてパッケージ化された疑似白色ＬＥＤを用いることができる。また、発光素子１２が基板１１に直接実装されたＣＯＢ（Ｃｈｉｐ  Ｏｎ  Ｂｏａｒｄ）等を用いてもよい。さらに、発光素子１２の個数、配置又は種類は、光源ユニット３の用途等に応じて、適宜変更することも可能である。また、発光素子１２として、例えばＬＤ（レーザダイオード）又は有機ＥＬ等の発光素子（デバイス）を使用することもできる。発光素子１２として有機ＥＬ等を用いる場合、複数の発光素子１２が基板１１に実装される代わりに、一方向に延在した板状の１個のＥＬ素子を、基板１１に実装するようにしてもよい。
【００１５】
フレーム２０は、例えば長手方向（矢印Ｙ方向）に延びた形状を有するものであって、熱伝導性を備えた材料からなっている。このフレーム２０は、光源ユニット３の長手方向（矢印Ｙ方向）を支持するために必要な剛性を備え、線膨張係数が小さいことが好ましい。フレーム２０は、器具本体２（図１参照）側に配置される底面２１と、底面２１に対向する面であって複数の発光モジュール１０が載置される載置面２２とを有している。そして、フレーム２０は底面２１側において発光素子１２から発生する動作熱を器具本体２側に伝達して光源ユニット３の外部に放熱する。
【００１６】
ここで、発光素子１２から出射される光の配光角度（１／２ビーム角）θ１＝約６０°となっており、カバー３Ａ側から出射した光が連続性をもって出射するようになっている。一方、エンドカバー３Ｂに最も近い端部の発光素子１２Ａ上には配光角度が広くなる特性を有する広角レンズ１４が取り付けられている。この広角レンズ１４は、端部の発光素子１２Ａから出射した光を例えば配光角度θ２＝８０°に広げて出射する機能を有している。すると、光源ユニット３の端部であるエンドカバー３Ｂにまで光が届くように出射される。なお、配光角度θ１＝６０°及びθ２＝８０°である場合について例示しているが、光源ユニット３の端部であるエンドカバー３Ｂ側まで光が回るようにすれば、この配光角度θ１、θ２は発光素子１２の配光特性に応じて適宜設定することができる。
【００１７】
このように、端部の発光素子１２Ａに広角レンズ１４が取り付けられることにより、複数の光源ユニット３を連結した際に、光源ユニット３の端部であるエンドカバー３Ｂまで発光素子１２Ａが出射した光が届くため、照明器具１全体として連続した光を出射することができる。ここで、図６は従来の照明器具の一例を示す断面図である。図６に示すように、広角レンズ１４が装着されていない場合、投光性樹脂でできているエンドカバー３Ｂについては、光が届かない為、暗い部分が出て、連続性が途切れてしまう。一方、すべての発光素子１２に広角レンズ１４を装着することも考えられる。しかし、すべての発光素子１２に広角レンズ１４を装着するとコストが高くなってしまう。
【００１８】
ここで、出射光の連続性が途切れるのは配光素子の配列がエンドカバー３Ｂの存在に起因するものである。そこで、図５に示すように、エンドカバー３Ｂに最も近い端部の発光素子１２Ａに広角レンズ１４が装着されることにより、複数の光源ユニット３を連結した際に、エンドカバー３Ｂまで発光素子１２Ａが出射した光が届くため、安価な構成で照明器具１全体として連続した光を出射することができる。
【００１９】
本発明の実施形態は、上記各実施形態に限定されない。例えば図５において、複数の発光素子１２のうち、端部の発光素子１２Ａにのみ広角レンズ１４が取り付けられている場合について例示しているが、複数の照明器具１を連結したときに、光源ユニット３のエンドカバー３Ｂにまで光が回るようにすればこれに限られず、端部から所定の個数（例えば３個等）の発光素子１２上に広角レンズ１４を取り付けるようにしてもよい。その場合、端部から離れる程配光角度が小さくなるように広角レンズ１４を取り付けるようにしてもよい。すると、端部の発光素子１２Ａのみの配光角度を変えることにより端部が若干暗くなることを防止し、複数の光源ユニット３を用いた場合であっても光を均一に出射することができる照明器具１を提供することができる。また、広角レンズ１４を用いて端部の発光素子１２Ａの配光角度を変える場合について説明したが、端部に用いる発光素子１２Ａそのものの配光特性が異なるものを用いてもかまわない。
【００２０】
さらに、図１から図３において、複数の器具本体２にそれぞれ光源ユニット３が取り付けられている場合について例示しているが、１つの器具本体２に複数の光源ユニット３が取り付けられた構造を有するものであってもよい。
【００２１】
さらに、照明器具１は複数の光源ユニット３を備える場合について例示しているが、１つの光源ユニット３を備えたものであってもよい。図７は本発明の照明器具の別の実施形態を示す斜視図である。図７に示すように、照明器具１は１つの光源ユニット３を有し、この照明器具１が配列方向（矢印Ｙ方向）に互いに隣接するように並んで複数配置されている。この場合であっても、エンドカバー３Ｂに最も近い端部の発光素子１２Ａに広角レンズ１４が装着されることにより、複数の照明器具１を連結した際に、エンドカバー３Ｂまで発光素子１２Ａが出射した光が届くため、安価な構成で複数の照明器具１全体として連続した光を出射することができる。
【符号の説明】
【００２２】
１  照明器具、２  器具本体、３  光源ユニット、３Ａ  カバー、３Ｂ  エンドカバー、１０  発光モジュール、１１  基板、１１ａ  実装面、１２  発光素子、１２Ａ  発光素子、１３  コネクタ、１４  広角レンズ、２０  フレーム、２１  底面、２２  載置面、θ１、θ２  配光角度。
【図１】
2015185216.tif 000003
【図２】
2015185216.tif 000004
【図３】
2015185216.tif 000005
【図４】
2015185216.tif 000006
【図５】
2015185216.tif 000007
【図６】
2015185216.tif 000008
【図７】
2015185216.tif 000009